(57)【要約】【課題】  本発明は、指標部に立体感を付与することが可能な指針式計器を提供することを目的とする。【解決手段】  計器本体２と、指針３の指示対象となる指標部４１を有する非透光性の表示板４と、光源８からの光を表示板４の周囲から照らす導光体７と、を計器ケース９に収納してなる指針式計器装置において、表示板４の前面側にて透視可能に配設される計器ケース９の一部を構成する透光性の透視パネル９３と、導光体７に設けられ、表示板４および透視パネル９３方向に光源８からの光を発する第１，第２の光出射部７３，７４と、透視パネル９３の裏面側７３から一体に後方に突出し少なくとも指標部の一部を構成する透光性の隆起部９４とを備え、第１の光出射部７３は、表示板４の周囲から間接的に表示板４上を照明し、第２の光出射部７４は、隆起部９４を透過照明してなることを特徴とする。【選択図】  図５
2010230608.tif 000002
【特許請求の範囲】
【請求項１】
計器ケース内には、計器本体に組み付けられた指針と、この指針の指示対象となる指標部を有する非透光性の表示板と、この表示板の背後に配設される光源と、この光源からの光を前記表示板の周囲から照らす導光体と、を収納してなる指針式計器装置において、前記表示板の前面側位置にて透視可能に配設される透光性の透視パネルと、この透視パネルと一体的に形成され前記表示板の周囲を覆う前記計器ケースの一部を構成するケース体と、前記導光体に設けられ、前記表示板および前記透視パネル方向に前記光源からの光を発する第１，第２の光出射部と、前記透視パネルの裏面側から一体に後方に突出し少なくとも前記指標部の一部を構成する透光性の隆起部とを備え、前記第１の光出射部は、前記表示板の周囲から間接的に前記表示板上を照明し、前記第２の光出射部は、前記隆起部を透過照明してなることを特徴とする指針式計器装置。
【請求項２】
前記導光体には、前記表示板を載せる載置面部と、前記表示板の外周を取り巻くように設けられた光案内部と、その光案内部の上端側の端部に設けられ前記表示板の外周方向から中心方向に向けて反射導光可能とする反射面からなる第１の光射出部と、その第１の光射出部と隣接して前記光案内部の上端側端部に設けられた前記第２の光射出部と、を備えてなることを特徴とする請求項１に記載の指針式計器装置。
【請求項３】
前記隆起部は、前記指針の指示対象となる凸目盛部として形成してなることを特徴とする請求項１または請求項２に記載の指針式計器装置。
【請求項４】
前記表示板上には、前記指標部の一部として目盛部を印刷形成してなることを特徴とする請求項３に記載の指針式計器装置。
【発明の詳細な説明】
【技術分野】
【０００１】
本発明は、たとえば建設機械などの特殊車両や船舶、あるいは自動車、オートバイなどの各種車両に搭載される指針式計器装置に関するものである。
【背景技術】
【０００２】
各種車両に搭載される指針式計器として、計器本体の回転軸の先端に指針を装着し、この指針の背後に目盛、文字、マーク等からなる指標部を有する表示板を配置し、指標部上に沿って指示する指針によって、計測値を表示するものが知られている。この場合、表示板の周囲に導光体を配設し、この導光体に入光した光線を表示板の外周から表示板の中心方向へと案内することにより、表示板の表面上あるいは指針などが間接的に照明されるため、均一的に淡い明かりによって浮かび上がって見え、照明効果の点においては満足できるものである。
【先行技術文献】
【特許文献】
【０００３】
【特許文献１】実開昭５６−１６０１６号公報
【発明の概要】
【発明が解決しようとする課題】
【０００４】
ところでこの種の表示板にあっては、指標部と合わせてこの指標部の背景を形成する地色部が形成されるが、これら指標部と地色部は普通、表示板となる基板への印刷によって形成されるため、表示板の見え方自体は平面的なものであった。
【０００５】
また、上記特許文献１などにおいては、表示板を立体的に見せる手法としては、予め印刷を施したフラットな基板を突成型または絞り成型により変形させ、表示板に傾斜面を形成したり、凹凸面を形成する手法が知られている。
【０００６】
しかしながら、この手法によれば、表示板の板面自体に立体感を持たせることは可能であるが、指標部を形成する限られた領域だけを立体的に成型するのは、不向きであり、基板の板厚分のＲ（曲率）がついてしまう等、指標部をシャープな形状に成型するのは困難であった。
【０００７】
従って、このような問題を解決するために表示板の基板や、背景用としての基板、あるいは透光性の材料からなる凸目盛や凹目盛を施した導光体との組み合わせなどにより、指標部となる目盛を立体的に見せて奥行き感を際立たせるようにしたものが種々提案されている。しかしながら、これらについては、立体感は達成することができるものの、部品点数なども多く組み付けも煩雑となりやすく、コストも高くなってしまいやすいという問題を抱えている。
【０００８】
本発明は前述した問題点に着目し、比較的に部品点数を増やすことなく、指標部に立体感を付与することが可能な指針式計器を提供するものである。
【課題を解決するための手段】
【０００９】
本発明は、前記目的を達成するため、計器ケース内には、計器本体に組み付けられた指針と、この指針の指示対象となる指標部を有する非透光性の表示板と、この表示板の背後に配設される光源と、この光源からの光を前記表示板の周囲から照らす導光体と、を収納してなる指針式計器装置において、前記表示板の前面側位置にて透視可能に配設される透光性の透視パネルと、この透視パネルと一体的に形成され前記表示板の周囲を覆う前記計器ケースの一部を構成するケース体と、前記導光体に設けられ、前記表示板および前記透視パネル方向に前記光源からの光を発する第１，第２の光出射部と、前記透視パネルの裏面側から一体に後方に突出し少なくとも前記指標部の一部を構成する透光性の隆起部とを備え、前記第１の光出射部は、前記表示板の周囲から間接的に前記表示板上を照明し、前記第２の光出射部は、前記隆起部を透過照明してなることを特徴とする指針式計器装置である。
【００１０】
このように構成することにより、表示板の前面側に配設されている透光性の透視パネルの裏面側に指標部の一部を構成する透光性の隆起部を設けることによって、個別の部品を設けることなく透視パネルを利用して立体感が得られるものであり、また照明時においては、光源からの光線によって導光体の第１の光出射部を介して表示板の表面上が間接的に照明表示されるとともに、第２の光出射部を介して透視パネルの背面側に設けられた透光性の隆起部が透過照明される。
【００１１】
また請求項１に記載の指針式計器装置において、請求項２では、前記導光体には、前記表示板を載せる載置面部と、前記表示板の外周を取り巻くように設けられた光案内部と、その光案内部の上端側の端部に設けられ前記表示板の外周方向から中心方向に向けて反射導光可能とする反射面からなる第１の光射出部と、その第１の光射出部と隣接して前記光案内部の上端側端部に設けられた前記第２の光射出部と、を備えてなることを特徴とするものである。
【００１２】
このように構成することにより、計器ケース内に収納される導光板を基準にして表示板を導光板の載置面部にセットし、指針を計器本体に組み付けた後に、表示板の前面側を覆う計器ケースの一部を構成する透視パネルとケース体とを組み付け固定することにより簡単に順次組み付けられるものであり、また照明時においては、導光体に設けられた光案内部を介して光源からの光が導かれて案内され、反射面からなる第１の光出射部を介して表示板の表面上が間接的に照明表示されるとともに、第１の光射出部と隣接して前記光案内部の上端側端部に設けられた前記第２の光射出部を介して透視パネルの背面側に設けられた透光性の隆起部が透過照明される。
【００１３】
また請求項１または請求項２に記載の指針式計器装置において、請求項３では、前記隆起部は、前記指針の指示対象となる凸目盛部として形成してなることを特徴とするものである。
【００１４】
このように構成することにより、表示板に対して透視パネルに設けられた凸目盛部が立体的に配置されるため奥行き感が増し見映えも良好となり、しかも指針との視差も抑えられるために見やすい指針式計器装置を提供することができる。
【００１５】
また請求項３に記載の指針式計器装置において、請求項４では、前記表示板上には、前記指標部の一部として目盛部を印刷形成してなることを特徴とするものである。
【００１６】
このように構成することにより、透視パネルに設けられた凸目盛部と、表示板の表面上に設けられた目盛部とによって、さらに指針の指示を良好に読み取ることが可能となるものであり、加えて透視パネルの凸目盛部と表示板に設けた目盛部との配置によってさらに奥行き感が引き出されるものであり、見映えを良好となるものである。
【発明の効果】
【００１７】
本発明では、計器ケース内には、計器本体に組み付けられた指針と、この指針の指示対象となる指標部を有する非透光性の表示板と、この表示板の背後に配設される光源と、この光源からの光を前記表示板の周囲から照らす導光体と、を収納してなる指針式計器装置において、前記表示板の前面側位置にて透視可能に配設される透光性の透視パネルと、この透視パネルと一体的に形成され前記表示板の周囲を覆う前記計器ケースの一部を構成するケース体と、前記導光体に設けられ、前記表示板および前記透視パネル方向に前記光源からの光を発する第１，第２の光出射部と、前記透視パネルの裏面側から一体に後方に突出し少なくとも前記指標部の一部を構成する透光性の隆起部とを備え、前記第１の光出射部は、前記表示板の周囲から間接的に前記表示板上を照明し、前記第２の光出射部は、前記隆起部を透過照明してなることを特徴とする指針式計器装置であるため、表示板の前面側に配設されている透光性の透視パネルの裏面側に指標部の一部を構成する透光性の隆起部を設けることによって、個別の部品を設けることなく透視パネルを利用して立体感が得られるものであり、また照明時においては、光源からの光線によって導光体の第１の光出射部を介して表示板の表面上が間接的に照明表示されるとともに、第２の光出射部を介して透視パネルの背面側に設けられた透光性の隆起部が透過照明される。
【図面の簡単な説明】
【００１８】
【図１】図１は、本発明の第１の実施形態である指針式計器装置を示す正面図。
【図２】図２は、図１のＡ−Ａ線箇所を示す指針式計器装置の断面図。
【図３】図３は、図１のＢ−Ｂ線箇所を示す指針式計器装置の概略拡大断面図。
【図４】図４は、図２の速度計である指針式計器装置の要部を示す拡大断面図。
【図５】図５は、図２の回転計である指針式計器装置の要部を示す拡大断面図。
【発明を実施するための形態】
【００１９】
図１から図５は本発明の第１の実施形態を示すもので、以下、これらに基づいて本発明の実施形態をたとえばオートバイに搭載される指針式計器装置に適用した場合について説明する。
【００２０】
図１から図５において、本実施形態による指針式計器は、回路基板１と、この回路基板１に導通装着され回転軸２ａが前方に延びる計器本体２と、回転軸２ａの先端側に装着される指針３と、この指針３と回路基板１との間に配置される表示板４と、この表示板４と回路基板１との間に配置され表示板４を取り付け固定し、且つ指針３を照明するために設けられたホルダー５と、このホルダー５の内部側に配置され回路基板１の表面側に実装された発光ダイオードからなる光源６と、前記表示板４の外周部分および表示板４の背面部分に沿って設けられた導光体７と、この導光体７の外周側の下端箇所に沿って所定の間隔を配して回路基板１の表面側に実装された発光ダイオードからなる光源８と、回路基板１，計器本体２，表示板４，導光体７などを含む計器装置を収納する計器ケース９とから構成されている。
【００２１】
回路基板１は、たとえばガラスエポキシ系基材に配線パターン（図示せず）を施した硬質回路基板からなり、計器本体２の駆動・制御を行う駆動手段（図示せず）やたとえば抵抗、コンデンサ等の各種回路部品（図示せず）が前記配線パターンに導通接続されている。
【００２２】
計器本体２は、可動磁石式計器またはステッピングモータからなり、この例では回転軸２ａが回路基板１に形成した軸孔を貫通するように、回路基板１の背後に装着され、且つ半田付け等の適宜導通手段により前記配線パターン（前記駆動手段）に電気接続されている。
【００２３】
指針３は、光透過性の合成樹脂からなり、図４，図５などに示すように、後述する指標部を指示する指示部材３１と、同じく光透過性合成樹脂からなり指示部材３１と回転軸２ａとの間に配置される基部３２と、この基部３２および指示部材３１の回転中心側所要部を覆う遮光性合成樹脂よりなる指針キャップ３３とで構成され、基部３２を通じて回転軸２ａの先端に連結されている。
【００２４】
表示板４は、金属製材料からなる基板によって形成され、その基板の表面には、指針３の回転軌道に沿った円弧状の配列形状を有して配置され、指針３の指示対象となる指標部４１と、指標部４１の背景となる地色部４２とが印刷などの手段によって形成されている。
【００２５】
指標部４１は、目盛部４３とこの目盛部４３に対応した数字などの文字部４４などからなっている。なお表示板４には、回転軸２ａに対応した位置に貫通孔が設けられ、この貫通孔を通じて回転軸２ａと指針３とが連結できるようになっている。
【００２６】
ホルダー５は、白色の合成樹脂製材料にて略筒状に形成され、そのホルダー５の上端側に表示板４を固定保持するためのボス部５１が設けられるとともに、ホルダー５の下端側に回路基板１側に設けられた係止孔と係合保持するための弾性爪部５２が設けられている。また、略筒状に形成されたホルダー５の内部には指針照明用の光源６が配置されている。
【００２７】
導光体７は、アクリル樹脂などからなる透明な材料からなり、表示板４の形状にほぼ合わせて略円盤状に形成されている。この略円盤状の導光体７には、表示板４を載せるための載置面部７１が形成されるとともに、その載置面部７１の外周部分には表示板４を取り巻くように表示板４の表面側へと延設された光案内部７２が形成されている。
【００２８】
また、光案内部７２の上端側の端部に表示板４の外周方向から中心方向に向けて反射導光可能とする反射面からなる第１の光射出部７３が形成されるとともに、その反射面からなる第１の光射出部７３と隣接して光案内部７２の上端側端部に平坦状の第２の光射出部７４が形成されている。
【００２９】
また、導光体７の載置面部７１の背面側には、回路基板１に固定保持するためのボス部７５が突き出し形成されるとともに位置決めピン（図示せず）などが突き出し形成されている。
【００３０】
なお、光案内部７２の背後には、導光体７の外周側の下端箇所に沿って所定の間隔を配して回路基板１の表面側に実装された発光ダイオードからなる光源８が配置されている。
【００３１】
計器ケース９は合成樹脂材料により形成され、本実施形態では、回路基板１や計器本体２が収納される下側のケース体９１と、計器本体２や表示板４などの周囲を覆ってなる上側のケース体９２と、この上側のケース体９２の上端側にて表示板４の前面側から表示板４を透視可能に配設された透光性の透視パネル９３と、から計器ケース９の全体が構成されている。
【００３２】
この実施形態においては、計器ケース９の一部を構成する透視パネル９３には、透視パネル９３の裏面側から一体に後方に向けて突出し少なくとも指針３の指標部の一部を構成する透光性の隆起部９４が設けられている。
【００３３】
この隆起部９４は、実施例においては、指針３の指示対象となる凸目盛部９４ａとして円弧状に所定の間隔を配して形成されている。
【００３４】
また凸目盛部９４ａ箇所を除く周囲は、上側のケース体９２から一体に凸目盛部９４ａに沿って帯状の遮蔽部９２ａより覆われており、凸目盛部９４ａ箇所以外が運転者側から見えないように形成されている。
【００３５】
このように構成された第１の実施形態における指針式計器装置にあっては、回路基板１を基準にして回路基板１の背面側に計器本体２が組み付けられるとともに、回路基板１の表面側にはホルダー５が回路基板１上に組み付け固定される。また、回路基板１の表面側には、導光体７のボス部７５がセットされてビスなどによって固定保持される。次いで、導光体７の載置面部７１に合わせて表示板４をセットし、ビスなどによってホルダー５のボス部５１に対して回し締め固定することにより簡単に表示板４と導光体７とが回路基板１に組み付け固定される。この状態にて指針３を計器本体２の回転軸２ａに組み付けることにより、計器ケース９を除く指示計器の組み付けが完了する。このように実装された指示計器は計器ケース９内に収納されビスなどの固定手段を介して固定保持される。
【００３６】
このように組み付けられた指針式計器装置にあっては、計器の照明時においては、光源６からの照射光線が略筒状からなるホルダー５の内部から指針３の基部３２側へと案内され、指針３の指示部材３１へと導光された光によって指示部材３１が光輝する。
【００３７】
また指針３の発光照明と同時に、導光体７に設けられた光案内部７２を介して光源８からの光が導かれて案内され、反射面からなる第１の光出射部７３を介して表示板４の表面上が間接的に照明表示されるとともに、第１の光射出部７３と隣接して光案内部７２の上端側端部に設けられた平坦状の第２の光射出部７４を介して透視パネル９３の背面側に設けられた透光性の隆起部９４が透過照明される。
【００３８】
この際、隆起部９４は、指針３の指示対象となる凸目盛部９４ａとして円弧状に所定の間隔を配して形成されており、照明と同時に透視パネル９３の背後に凸目盛部９４ａが突出しているために、その突出した凸目盛部９４ａが光源８からの光によって光輝し、その凸目盛部９４ａ以外の周りの箇所はケース体９２の遮蔽部９２ａにより覆われているために遮光され、凸目盛部９４ａのみがくっきりと立体的に透過照明される。これと同時に、表示板４の外周側から間接光によって目盛部４３と文字部４４とからなる指標部４１が照らし出され、凸目盛部９４ａと表示板４の表面上に施された指標部４１との前後の位置関係によって立体的に照明表示される。
【００３９】
また、個別の部品を設けることなく透視パネル９３から一体に隆起部９４を形成するのみであるため、表示板４を前面側から透視する透視パネル９３を利用して立体感が得られるものであり、奥行き感が増し見映えも良好となり、しかも指針３との視差も抑えられるために見やすい指針式計器装置を提供することができる。
【００４０】
また透視パネル９３に設けられた凸目盛部９４ａと、表示板４の表面上に設けられた目盛部４３とによって、さらに指針３の指示を良好に読み取ることが可能となるものであり、加えて透視パネル９３の凸目盛部９４ａと表示板４に設けた目盛部４３との配置によってさらに奥行き感が引き出されるものであり、見映えを良好となるものである。
【００４１】
なお、前述した第１の実施形態にあっては、透視パネル９３として、合成樹脂製の透明な基板を用いて成形していたが、たとえば、透視パネル９３を所定の色合いにて着色成形してなることにより、深みのある隆起部９４として形成することができ、また照明時においては内部に設置された光源８からの照明光によって見やすく透視パネル９３の隆起部９４を照らし出すことが可能となる。また、透視パネル９３に設ける隆起部９４としては凸目盛部９４ａに限らず、図形や記号などを凸状に形成することも可能であり、隆起部９４の奥行き寸法や形状など適宜に設定することが可能である。また、場合によっては、隆起部９４である凸目盛部９４ａの受光部側を粗面加工やシボ加工などの表面加工を施したりすることにより、その表面部分を部分的に照らし出すことも可能であり、透視パネル９３の表面側から見た際に、表面加工した箇所が透視パネル９３を通して見ることができるため奥行き感をさらに助長することができるものである。
【産業上の利用可能性】
【００４２】
また、前述した実施形態においては、その適用例として車両用計器やオートバイなどの指針式計器装置を例にして説明したが、車両用の指示計器に限らず船舶用の指針式計器装置あるいは農業用機械や建設機械などの特殊車両の指針式計器装置などにおいても適用することが可能である。
【符号の説明】
【００４３】
１    回路基板
２    計器本体
２ａ    回転軸
３    指針
４    表示板
５    ホルダー
６    光源
７    導光体
８    光源
９    計器ケース
３１    指示部材
３２    基部
３３    指針キャップ
４１    指標部
４２    地色部
４３    目盛部
４４    文字部
５１    ボス部
５２    弾性爪部
７１    載置面部
７２    光案内部
７３    第１の光射出部
７４    第２の光射出部
７５    ボス部
９１    下側のケース体
９２    上側のケース体
９２ａ    
９３    透視パネル
９４    隆起部
９４ａ    凸目盛部
【図１】
2010230608.tif 000003
【図２】
2010230608.tif 000004
【図３】
2010230608.tif 000005
【図４】
2010230608.tif 000006
【図５】
2010230608.tif 000007